(57)【要約】【課題】嫌気的条件の破壊や悪臭を含む排ガスの発生を防止しながら、担体充填層内に滞留蓄積した窒素ガスを効率的に排出することのできる固定床方式の生物学的脱窒方法を提供する。【解決手段】酸化態窒素含有水を、生物付着担体が充填された充填層をもつ固定床方式の脱窒部で脱窒処理する方法において、充填層内で脱窒反応によって発生し、充填層から流出した窒素ガスを充填層下部に注入することによって充填層内部に滞留するガスを充填層から抜くことを含む方法。【選択図】図１
2015000400.tif 000002
【特許請求の範囲】
【請求項１】
酸化態窒素含有水を、生物付着担体が充填された充填層をもつ固定床方式の脱窒部で脱窒処理する方法において、充填層内で脱窒反応によって発生し、充填層から流出した窒素ガスを充填層下部に注入することによって充填層内部に滞留するガスを充填層から抜くことを含む方法。
【請求項２】
充填層下部への窒素ガスの注入が間欠的である請求項１に記載の方法。
【請求項３】
充填層下部への窒素ガスの注入が、充填層内のガス滞留蓄積と相関のある対象を監視して、その検出値に基づいてなされる請求項１又は２に記載の方法。
【請求項４】
充填層内のガス滞留蓄積と相関のある対象が、処理水の硫黄系物質濃度、脱窒部内の硫化水素濃度、処理水の濁度、処理水の酸化態窒素濃度、脱窒部内の水位、脱窒部の内部圧力、又は、還元剤を供給する場合の処理水の還元剤濃度である請求項３に記載の方法。
【請求項５】
充填層下部への窒素ガスの注入は、定期的に実施される請求項１又は２に記載の方法。
【請求項６】
前記酸化態窒素含有水が硫酸イオンを含む請求項１〜５の何れか一項に記載の方法。
【請求項７】
注入される窒素ガスが圧縮ガスである請求項１〜６の何れか一項に記載の方法。
【請求項８】
酸化態窒素含有水を脱窒するための生物付着担体が充填された充填層をもつ固定床方式の脱窒部を備えた脱窒装置であって、充填層内で脱窒反応によって発生し、充填層から流出した窒素ガスを充填層下部に注入するための移送手段を有する脱窒装置。
【請求項９】
脱窒部は充填層の上方に気相部を備え、移送手段は気相部にある窒素ガスを引き抜いて充填層下部に注入する請求項８に記載の脱窒装置。
【請求項１０】
脱窒部からの排気ラインを備え、排気ラインには逆止弁が配備されている請求項８又は９に記載の脱窒装置。
【請求項１１】
移送手段による前記窒素ガスの注入量を規定する因子を制御するための制御部と、充填層内のガス滞留蓄積と相関のある対象を監視するための検出手段とを有し、制御部は検出手段によって検出した検出値に基づいて前記因子に対して前記窒素ガスの注入量を変化させるように指示する請求項８〜１０の何れか一項に記載の脱窒装置。
【請求項１２】
充填層内のガス滞留蓄積と相関のある対象が、処理水の硫黄系物質濃度、脱窒部内の硫化水素濃度、処理水の濁度、処理水の酸化態窒素濃度、脱窒部内の水位、脱窒部の内部圧力、又は、還元剤を供給する場合の処理水の還元剤濃度である請求項１１に記載の脱窒装置。
【請求項１３】
移送手段が圧縮ガス貯留タンクを備える請求項８〜１２の何れか一項に記載の脱窒装置。
【発明の詳細な説明】
【技術分野】
【０００１】
本発明は固定床方式の生物学的脱窒方法に関する。また、本発明は固定床方式の生物学的脱窒装置に関する。
【背景技術】
【０００２】
従来、液中の窒素酸化物を生物学的に還元脱窒する方式としては、微生物（脱窒菌）の保持形態に応じて、活性汚泥中の脱窒菌の働きを利用した浮遊方式、脱窒菌を選択的に凝集させる自己造粒方式、生物付着担体の表面に脱窒菌を固定化する担体方式等が知られている。
【０００３】
担体方式は生物付着担体を脱窒充填層に充填するもので、通常は浮遊方式のように微生物の分離工程を有しない点が特徴である。担体方式は固定床方式と流動床方式とに大別される。固定床方式は被処理水を充填層に下降流で通水するのが一般的である。そのため、通水圧力の上昇を抑えるため逆洗浄などを行わなければならない。比較的中小規模の処理に採用されることが多い。流動床方式は脱窒充填層の底部から被処理水を上昇流で通水することによって担体を流動化させながら処理するものである。そのため、流動床方式においては一般には逆洗を行う必要はない。
【０００４】
固定床方式においては流動床方式に比べて脱窒槽内の生物付着担体の流動性が低く、担体の充填密度は高くなる。そのため、固定床方式を採用して脱窒処理を行う場合、脱窒反応によって発生した窒素ガスが担体充填層から抜け難く、滞留し易い。特開２００２−１５９２４５号公報（特許文献１）においては、窒素ガスが担体充填層内に滞留すると脱窒効率が低下するおそれがあるという問題を指摘している。当該公報ではこの問題を解消するために、脱窒菌を着床した多数の処理材（担体）に下方から空気を供給する散気装置を脱窒槽に設け、所定時間毎に散気装置から空気を供給することを提案している。そして空気注入の停止を処理材近傍の溶存酸素濃度の上昇を検出することによって行っている。
【先行技術文献】
【特許文献】
【０００５】
【特許文献１】特開２００２−１５９２４５号公報
【発明の概要】
【発明が解決しようとする課題】
【０００６】
特許文献１においては窒素ガスの滞留を解消するために空気を供給する方法を提案しているが、空気供給時は脱窒反応が中断され、連続的な脱窒処理を行うことができないため、時間効率が損なわれる。また、空気は担体充填層の嫌気的条件を一時的に破壊するため、脱窒反応の遅滞が懸念される。更に、脱窒を補助するために担体充填層に還元剤を添加する場合があるが、残留溶存酸素によって還元剤が無駄になるおそれもある。更に、空気を外部から供給すると、排ガスが悪臭成分を含むため脱臭装置で処理しなければならないという問題もある。
【０００７】
本発明は上記事情に鑑みて創作されたものであり、嫌気的条件の破壊や悪臭を含む排ガスの発生を防止しながら、担体充填層内に滞留蓄積した窒素ガスを効率的に排出することのできる固定床方式の生物学的脱窒方法を提供することを課題の一つとする。また、本発明は嫌気的条件の破壊や悪臭を含む排ガスの発生を防止しながら、担体充填層内に滞留蓄積した窒素ガスを効率的に排出することのできる固定床方式の生物学的脱窒装置を提供することも課題の一つとする。
【課題を解決するための手段】
【０００８】
本発明者は上記課題を解決するために鋭意研究したところ、酸化態窒素含有水を生物付着担体を充填した固定床方式の脱窒部で脱窒する方法において、該脱窒部で発生するガスを抜き取り、該脱窒部下部から注入することによって該脱窒部内部に滞留する窒素ガスを効果的に抜くことができることを見出した。
【０００９】
本発明は上記知見を基礎として完成したものであり、一側面において、酸化態窒素含有水を、生物付着担体が充填された充填層をもつ固定床方式の脱窒部で脱窒処理する方法において、充填層内で脱窒反応によって発生し、充填層から流出した窒素ガスを充填層下部に注入することによって充填層内部に滞留するガスを充填層から抜くことを含む方法である。
【００１０】
本発明に係る脱窒処理方法の一実施形態においては、充填層下部への窒素ガスの注入が間欠的である。
【００１１】
本発明に係る脱窒処理方法の別の一実施形態においては、充填層下部への窒素ガスの注入が、充填層内のガス滞留蓄積と相関のある対象を監視して、その検出値に基づいてなされる。
【００１２】
本発明に係る脱窒処理方法の更に別の一実施形態においては、充填層内のガス滞留蓄積と相関のある対象が、処理水の硫黄系物質濃度、脱窒部内の硫化水素濃度、処理水の濁度、処理水の酸化態窒素濃度、脱窒部内の水位、脱窒部の内部圧力、又は、還元剤を供給する場合の処理水の還元剤濃度である。
【００１３】
本発明に係る脱窒処理方法の更に別の一実施形態においては、充填層下部への窒素ガスの注入は、定期的に実施される。
【００１４】
本発明に係る脱窒処理方法の更に別の一実施形態においては、前記酸化態窒素含有水が硫酸イオンを含む。
【００１５】
本発明に係る脱窒処理方法の更に別の一実施形態においては、注入される窒素ガスが圧縮ガスである。
【００１６】
本発明は別の一側面において、酸化態窒素含有水を脱窒するための生物付着担体が充填された充填層をもつ固定床方式の脱窒部を備えた脱窒装置であって、充填層内で脱窒反応によって発生し、充填層から流出した窒素ガスを充填層下部に注入するための移送手段を有する脱窒装置である。
【００１７】
本発明に係る脱窒装置の一実施形態においては、脱窒部は充填層の上方に気相部を備え、移送手段は気相部にある窒素ガスを引き抜いて充填層下部に注入する。
【００１８】
本発明に係る脱窒装置の別の一実施形態においては、脱窒部からの排気ラインを備え、排気ラインには逆止弁が配備されている。
【００１９】
本発明に係る脱窒装置の更に別の一実施形態においては、移送手段による前記窒素ガスの注入量を規定する因子を制御するための制御部と、充填層内のガス滞留蓄積と相関のある対象を監視するための検出手段とを有し、制御部は検出手段によって検出した検出値に基づいて前記因子に対して前記窒素ガスの注入量を変化させるように指示する。
【００２０】
本発明に係る脱窒装置の更に別の一実施形態においては、充填層内のガス滞留蓄積と相関のある対象が、処理水の硫黄系物質濃度、脱窒部内の硫化水素濃度、処理水の濁度、処理水の酸化態窒素濃度、脱窒部内の水位、脱窒部の内部圧力、又は、還元剤を供給する場合の処理水の還元剤濃度である。
【００２１】
本発明に係る脱窒装置の更に別の一実施形態においては、移送手段が圧縮ガス貯留タンクを備える。
【発明の効果】
【００２２】
本発明によれば、実施態様に応じて以下のような各種の効果が得られる。
１．脱窒反応によって発生する窒素ガスを利用することによって、担体充填層に滞留蓄積したガスを嫌気的条件下に維持したまま排出することができる。
２．窒素ガス注入時に酸化態窒素含有水の流入を継続しても、脱窒部は嫌気的条件が維持されるので脱窒反応を支障なく継続することができ、時間効率が良い。
３．内部ガス（気相部ガス）を循環することによって、臭気成分の槽外への排出を防止できる。特に充填層の洗浄では大量のガスを使用するため、排ガス処理の負担を大幅に削減できる。また、処理水の悪臭を抑制できるという効果も得られる。
４．外部からガスを供給するわけではないので洗浄排ガスの処理費用が掛からない。そのため、担体充填層の洗浄に際し、十分なガス量によるガス洗浄を行うことができる。そして、副次的に担体充填層の逆洗に必要な水量を減少でき、排水量が少なくなるという利点も得られる。
５．腐敗臭の臭気成分（硫化水素、低級有機酸）は脱窒の還元剤として利用できるので、充填層内で発生した臭気ガスを脱窒菌が付着している充填層に戻して注入することによって、その分外部からの有価の還元剤注入量を削減することができる。
【図面の簡単な説明】
【００２３】
【図１】本発明に係る固定床方式の生物学的脱窒装置の一例を説明するための模式図である。
【図２】本発明に係る固定床方式の生物学的脱窒装置の別の一例を説明するための模式図である。
【図３】本発明に係る脱窒装置の制御系のブロック線図の一例である。
【図４】実施例３における経過時間と充填層の水位（ろ高）の関係を示す。
【図５】実施例で使用した脱窒槽の概要図である。
【発明を実施するための形態】
【００２４】
次に本発明の実施形態について図１を参照しつつ説明する。図１には、本発明の生物学的脱窒装置１００の一実施形態に係る模式図が示されている。脱窒装置１００は酸化態窒素含有水１を脱窒するための生物付着担体が充填された充填層１０２をもつ固定床方式の脱窒部１０１を備える。充填層は、図示していないが、生物付着担体、該担体の落下防止用の支持材（砂利）及び格子状の集水部から構成することができる。脱窒部１０１の構成態様としては特に制限はないが、例えば槽、塔、カラム、筒などが考えられる。より具体的には、形状として直方体型、立方体型、円筒形、塔型など公知の形状、壁材料としてコンクリート、ＦＲＰ、鋳鉄等公知材料を適宜選択することができる。充填層１０２は担体を最大限活用するために流入水で満たされており、水位は充填層１０２の上端より高いのが通常である。そのため、充填層１０２の上方には液相部１１０が形成されている。
【００２５】
酸化態窒素含有水１としては、硝酸や亜硝酸などの窒素酸化物を含有する水であれば特に制限はないが、例示的には、上水、下水、し尿、用水、海水、排水、及び魚介類の飼育水などが挙げられる。特に、例示した水中に含まれるアンモニア性窒素を酸化処理後の水、とりわけ好気的条件下での生物学的硝化後の水が典型例として挙げられる。また、酸化態窒素含有水１は硫酸イオン等の硫黄分を含むことも可能である。硫酸イオン等の硫黄分を含有する水を処理する場合には硫化水素の生成による悪臭が問題となりやすいが、本発明では悪臭防止効果がある。そのため、硫黄分を含有する酸化態窒素含有水を処理対象とすることで本発明を効果的に活用できる。
【００２６】
生物付着担体の表面には脱窒菌が付着している。嫌気的条件下における脱窒菌の作用によって、酸化態窒素含有水１中の酸化態窒素は脱窒反応を受け、窒素まで還元される。生物付着担体としては、当業者に公知の生物付着担体が制限なく使用可能であるが、例えばアンスラサイト、活性炭（特に球状や粒状の活性炭）、セラミック、砂、合成樹脂などが挙げられる。生物付着担体は表面積を増大させるべく、球状、粒状、管状、ハニカム状、ポーラス状といった種々の形状を取り得る。これらの中でも容易に逆洗することができる粒状あるいは球状の担体が好ましい。
【００２７】
酸化態窒素含有水１は酸化態窒素含有水流入管１０３を通って脱窒部１０１に上部から流入する。脱窒反応を促進するために、脱窒部１０１に更に還元剤３を供給することもできる。本実施形態においては、還元剤３は還元剤流入管１０４を通って酸化態窒素含有水１と同様に脱窒部１０１に上部から流入する。還元剤３としては脱窒用の還元剤として知られている任意の還元剤が使用できるが、例えばメタノールやエタノール等のアルコール、酢酸やプロピン酸などの有機酸、硫化水素等が挙げられ、これらは単独で使用してもよいし、適宜組み合わせて使用してもよい。中でも経済的なメタノールが好ましい。
【００２８】
脱窒部１０１に流入した酸化態窒素含有水１及び還元剤３は充填層１０２を下方に向かって通過する。この間に、酸化態窒素含有水１は脱窒菌によって窒素に分解される。充填層１０２内で発生した窒素ガスは充填層１０２内を酸化態窒素含有水１に対して向流側、すなわち上方向に移動する。充填層１０２を抜けた窒素ガス４は充填層１０２の上側に設けられた気相部１０５を経由し、排気管１０６を通って装置１００の外に排出される。排気管１０６は、図示していないが、１００ｍｍ程度水封された水封槽により、外気と遮断されている。一方、充填層１０２を下方に通り抜けた処理水５は、装置１００の外へ排出される。排出された処理水５は放流されるか又は用水等として再利用される。また、処理水５は中継槽１０７を経由させてから装置１００の外へ排出することもできる。中継槽１０７に処理水５を貯留することで、これを逆洗用水１１として使用することが可能となる。
【００２９】
酸化態窒素含有水１の脱窒処理を継続してくと、発生した窒素ガスの一部が充填層１０２内に滞留蓄積していく。これによって、充填層１０２内における脱窒のための有効容積が減少し、脱窒効率が低下する。また、充填層１０２内にガス溜まりができると、流下水の偏流が生じるため、酸化態窒素含有水１が通過しないデッドゾーンが形成される。デッドゾーンには酸化態窒素が到達しないため、酸化還元電位が低下し、脱窒菌の腐敗が起きる。また、硫酸イオン等の硫黄分を含有する水を処理する場合には硫化水素が生成する。その結果、悪臭が発生する。
【００３０】
そこで、本発明に係る脱窒装置１００では、充填層１０２から流出した窒素ガスを充填層１０２下部に注入するための移送手段１０８を有している。窒素ガス６が充填層１０２下部に注入されると、充填層１０２内部に滞留蓄積していた窒素ガスは、注入された窒素ガス６に同伴されて充填層１０２から抜ける。これにより、脱窒のための有効容積が回復し、デッドゾーンも解消されるので、脱窒反応を正常状態に戻すことができる。
【００３１】
本実施形態によれば、充填層１０２を抜けた窒素ガスは移送手段１０８によって返送されて充填層１０２に注入されるので、窒素ガスの内部循環が生じる。この際、臭気成分（硫化水素、低級有機酸など）を含む臭気ガスの大部分は窒素ガスに同伴して内部循環するが、一部は排気管１０６、水封槽（図示せず）を経由して外部に放出される。外部への臭気ガスの放出を確実に防止するために、排気管を遮断してもよい。臭気成分は脱窒の還元剤として利用可能であるので、臭気ガスを脱窒菌が付着している充填層に注入することによって、その分外部からの有価の還元剤注入量を削減することができるという利点も得られる。
【００３２】
充填層１０２から流出した窒素ガスを引き抜く場所については特に制限はないが、脱窒部１０１内において充填層１０２の上方に気相部１０５を設け、ここに窒素ガスが蓄えられるようにしておき、気相部１０５の何れかの場所から引き抜くことが好ましい。また、本発明において“充填層下部”とは、充填層１０２の上下中央よりも下側の部分を指し、引き抜いた窒素ガスは充填層下部の何れの箇所に注入してもよいが、充填層１０２内に滞留蓄積するガスを効果的に抜く観点からは、充填層１０２の底部に上方に向かって注入することが好ましい。また、充填層１０２内に窒素ガス６を満遍なく行き渡らせる観点からは、充填槽１０２の底部に多数の注入口を設けることが好ましい。多数の注入口は例えば分岐管、分散板、散気管（ディフューザー）等を利用することによって設置可能である。
【００３３】
充填層１０２下部への窒素ガス６の注入は、連続的に行うこともできるし、間欠的に行うこともできる。何れの態様であっても、窒素ガス６の注入時に酸化態窒素含有水１の流入を継続しても、脱窒部１０１は嫌気的条件を維持可能なので脱窒反応を支障なく継続することができる。また、連続注入は窒素ガスの蓄積を未然に防ぐことができる。しかしながら、充填層１０２内に滞留蓄積しているガスを抜くためには大流量の窒素ガス６を短時間注入するという手法が効果的である。そのため、充填層１０２下部への窒素ガス６の注入は間欠的に行うことが好ましい。また、注入された窒素ガスや充填層１０２内部に滞留蓄積していた窒素ガスが充填層１０２を上方に移動する際の勢いによって、充填層１０２に付着している脱窒菌の一部が担体から剥離して窒素ガスと共に充填層１０２上方の液相部１１０に移動することが考えられる。しかしながら、間欠的な注入の場合、窒素ガス６の注入停止後に脱窒菌が落下して再び充填層１０２に戻るので、菌体剥離による脱窒不足を回避することができるという利点もある。
【００３４】
移送手段１０８としては、充填層１０２から流出した窒素ガス４を充填層下部に注入することさえできれば特に制限はないが、例えばブロワー、コンプレッサーを利用することができる。気相部１０５と充填層１０２の下部を配管１０９で連結し、配管途中に移送手段１０８を設置すればよい。移送手段１０８の中では、以下に述べる理由によりブロワーが好ましい。ブロワー稼動直後は気相部１０１のガスが吸引されて瞬間的に減圧状態になるので、充填層１０２内の滞留蓄積ガスの一部を気相部１０５に移動させる効果があり、さらに充填層下部から注入される窒素ガス６によってガス溜まりが破壊され、気相部１０５に移動する。すなわち、気相部からの内部ガスの吸引初期は気相部を一時的に減圧することができるため、滞留蓄積ガス抜きに関して担体充填層へのガス注入との相乗効果が得られる。
【００３５】
このように内部発生した窒素ガス６の間欠的循環は相乗的な効果を期待できる。気相部１０１の減圧効果を向上するためには、窒素ガス４の排出ライン１０６にガス逆流防止用の逆止弁１０９を配備すればよい。
【００３６】
他の窒素ガスの注入方法について図２を参照しつつ説明する。移送手段１０８と充填層１０２の間に圧縮ガス貯留タンク１１１を配備して、該貯留タンク１１１に窒素ガス６を圧縮貯留し、バルブ１１２を介して間欠的に窒素ガス６を圧縮ガスの状態で注入することもできる。貯留タンク１１１の前段にベビコンなどの圧縮機を設置してもよい。このような方法によればブロワー等の移送手段１０８は小型のものでも短時間に大量の窒素ガス６を脱窒層１０２に注入することができるので、滞留蓄積ガスの抜出効果を高めることができる。
【００３７】
充填層１０２下部への窒素ガス６の注入を間欠実施する場合の通気時間及びガス流量は、充填層容積にもよるが、目安としては充填層１０２の高さが静置時に比べて１．１〜１．５倍程度、好ましくは１．２〜１．４倍程度膨張するガス流量で１〜１０秒、好ましくは２〜５秒注入すればよい。注入は定期的に所定量で行っても良い。これは手動で行っても良いし、予め設定したプログラムに基づいて自動で注入されるようにしてもよい。この場合、複雑な制御系を構築する必要はないため、簡便なシステムを構築可能である。
充填層１０２内のガス滞留蓄積と相関のある何らかの対象を監視して、その検出値に基づいて、移送手段による前記窒素ガスの注入量を規定する因子（例えばブロワーの駆動手段であるモータのｏｎ／ｏｆｆ、モータの回転数）を変化させることで、注入時期や注入量を決定しても良い。この場合、滞留蓄積ガスの抜出を過不足なく行うことができるという利点が得られる。
【００３８】
充填層１０２内のガス滞留蓄積と相関が高いという理由により、好適な監視対象としては、脱窒部内の水位、脱窒部の内部圧力、充填層内部のデッドゾーン形成より生ずる処理水の濁度、処理水の硫黄系物質濃度、又は気相部ガス中の硫化水素濃度、充填層有効容積減少によって残留する酸化態窒素あるいは還元剤の濃度が挙げられる。これらの中では、自動測定の容易な処理水の濁度を監視対象とするのが好ましい。処理水中の硫黄系物質としては金属硫黄、硫黄イオン、硫化水素の少なくとも一つ以上を監視対象とすればよく、また処理水中の硫化水素は気相中の硫化水素を測定することによって間接的に監視することができる。
【００３９】
前記窒素ガスの注入量を規定する因子は、手動及び自動の何れで制御してもよい。自動制御する場合、脱窒装置は、当該因子を制御するための制御部と、監視対象の検出手段とを有し、制御部は検出手段によって検出した監視対象の検出値に基づいて前記因子に対して前記窒素ガスの注入量を変化させるように指示する。具体的な例として、処理水中の濁度を監視対象とし、ブロワーを移送手段１０８として利用した場合の制御系のブロック線図を図３に示す。ここでは、脱窒装置１００は、ブロワーのモータの負荷を制御するための制御部２０１と、処理水中の濁度の測定部２０２とを有し、制御部２０１は測定部２０２によって測定した濁度に基づいてモータの負荷を変化させる。このような制御を行った結果、最終的には充填層１０２内部に窒素ガスが滞留蓄積するのを防止することができ、安定的な脱窒処理を行うことが可能となる。
【００４０】
ある時点における処理水の濁度を測定部２０２（濁度計）で検出すると、測定した濁度はそれに応じた電気信号に変換される。その後、コンピュータ等から入力される濁度目標値（又は許容限界値）を表す電気信号と比較され、目標値（又は許容限界値）との差に応じて、制御部２０１によって、ブロワーへの負荷であるモータの回転速度（モータの始動及び停止を含む）、すなわち充填槽１０２への窒素注入量を操作する。窒素注入流量の変化に応じて処理水の濁度も変化する。例えば、濁度が許容限界値に達していない場合には脱窒処理が正常に行われていると判断し、ブロワーは停止状態を維持し、濁度が許容限界値を超えた場合には窒素ガスが充填槽内に多量に滞留蓄積していると判断し、ブロワーを起動する。ブロワーが停止するタイミングは、例えば検出された他の監視項目が目標値に達したときとしてもよいし、予め定めた一定時間運転後とするようにしてもよい。
【００４１】
このように、本実施形態では処理水の濁度を読み取り、この濁度が目標値に近づくように、又は、許容限界値を超えた場合にモータの回転速度を操作してフィードバック制御する。目標値は一定値でなくて、許容範囲のある幅をもった値であってもよい。監視対象が異なる場合においても、基本的に同様の制御系を構築することができる。
【００４２】
また、先述した圧縮ガス貯留タンク１１１を配備する実施形態では、移送手段の一つである圧縮ガス貯留タンク１１１からの窒素ガスの注入量を規定する因子として、圧縮ガス貯留タンク１１１からのガス排出量を調節するバルブ１１２の開閉度合を設定することができる。
【００４３】
脱窒処理を継続していくと、充填層１０２の内部で脱窒菌が増殖し、また、酸化態窒素含有水１中のＳＳが充填層１０２の内部に蓄積されることによって充填層１０２の通水抵抗が上昇することも考えられる。これに対しては中継槽１０７の内部に貯留されている処理水を逆洗用水１１として通水すればよい。逆洗排水１２は充填層１０２の上方の液相部１１０を介して脱窒部１０１外に排出することができる。逆洗前に、充填層１０２内の担体が攪拌するように窒素ガス６を注入しておくこともできる。撹拌時間は１分未満程度とするのが好ましいが、生物付着担体上の脱窒菌の付着強度が大きい場合は１分以上が必要になるので、逆洗後の通水抵抗の低下と攪拌時間、強度の関係を経験的に把握して、適宜設定すればよい。過剰な攪拌は付着脱窒菌を過剰に剥離することがあるので、剥離状況にも注意することが好ましい。ガス攪拌後はろ過物、剥離脱窒菌を脱窒部１０１外に排出するために逆洗用水を注入することができる。逆洗ポンプ１１４の起動は窒素ガス６による攪拌終了後に設定すればよい。逆洗時間は１〜１０分、好ましくは２〜５分、逆洗用水量は充填層１０２の高さが静置時に比べて１．１〜１．５倍程度、好ましくは１．２〜１．４倍程度膨張する程度が良い。
【実施例】
【００４４】
以下、本発明及びその利点をより良く理解するための実施例を示すが、本発明は下記の実施例に限定されるものではない。
【００４５】
脱窒菌が付着した粒径３ｍｍのアンスラサイト充填層２０１を図５に示す脱窒槽２００（高さ１６００ｍｍ）に充填した固定床式脱窒装置（脱窒槽底部から１５０ｍｍまでの高さに散気管２０２、格子状の目皿２０３及び砂利２０４を順に設置し、その上に内径２００ｍｍ、充填層高さ７００ｍｍ、充填容量約１９Ｌの充填層２０１を形成）を用意した。すなわち、充填層底面は脱窒槽の底面から高さ１５０ｍｍのところにある。当該脱窒装置は図１に記載の構成をもつ。被処理水としては下水の硝化水を選択し、当該装置へ供給し、脱窒試験を行った。水位は充填層上端（充填層底面からの高さ７００ｍｍ）から２００ｍｍ（充填層底面からの高さ９００ｍｍ）になるように設定した。実施条件を表１に示す。
【００４６】
【表１】
2015000400.tif 000003
【００４７】
（例１）
表１の条件で脱窒処理を開始してから、充填層中の窒素ガス溜まり発生に起因するろ高（水位）の上昇とともに、処理水の硫化水素臭が強くなったため、気相部のガスを３時間毎に５秒間、充填層が１．４倍程度に膨張するようにブロワーにより充填層底部から間欠的に注入した。その結果、ろ高が低下し、硫化水素臭も低下した。
【００４８】
（例２）
充填層中の窒素ガス溜まりの状況は水位（ろ高）をレベル計で自動検出して、水位が充填層上端から５００ｍｍ（充填層底面からの高さ１２００ｍｍ）に達した時点で自動的に窒素ガスを、５秒間充填層が１．４倍程度に膨張するように充填層底部から注入した。その結果、充填層底面からのろ高１２００ｍｍとろ高９５０ｍｍのときの、処理水のＮＯ3−Ｎはそれぞれ約５．２ｍｇ／Ｌ、約０．３ｍｇ／Ｌであり、処理水のメタノール濃度はそれぞれ約２４ｍｇ／Ｌ、約１．１ｍｇ／Ｌであった。これは、充填槽内に滞留蓄積した窒素ガスが抜けることで脱窒のための有効容積が回復し、脱窒反応が正常化して酸化態窒素及びメタノールが適切に消費されたことによると判断される。また、水位上昇時と低下時の処理水の濁度及び硫黄（硫黄イオン、金属硫黄コロイド、硫化水素性硫黄）濃度を随時測定した結果、図４に示すように、水位上昇時には濁度及び硫黄濃度が上昇し、水位低下時には濁度及び硫黄濃度が低下した。これより、脱窒処理水の濁度、硫黄濃度、硝酸性窒素濃度、又は還元剤であるメタノール濃度を自動検出して窒素ガスを自動注入することが充填槽内に滞留蓄積する窒素ガスを抜くために有効であることが分かる。
【符号の説明】
【００４９】
１      酸化態窒素含有水
３      還元剤
４      排出窒素ガス
５      処理水
６      循環窒素ガス
１１    逆洗用水
１２    逆洗排水
１００  脱窒装置
１０１  脱窒部
１０２  充填層
１０３  酸化態窒素含有水流入管
１０４  還元剤流入管
１０５  気相部
１０６  排気管
１０７  中継槽
１０８  移送手段
１０９  配管
１１０  液相部
１１１  圧縮ガス貯留タンク
１１２  バルブ
１１４  逆洗ポンプ
２００  脱窒槽
２０１  アンスラサイト充填層
２０２  散気管
２０３  目皿
２０４  砂利
【図１】
2015000400.tif 000004
【図２】
2015000400.tif 000005
【図３】
2015000400.tif 000006
【図５】
2015000400.tif 000007
【図４】
2015000400.tif 000008